(57)【要約】【課題】データ信号の送信効率を落とさずに、高いACK／NACK判定精度を確保することを課題とする。【解決手段】基地局は、端末装置から無線通信で受信した制御信号を用いて、信号対干渉電力比を測定し、変調方式及びチャネル符号化率の組み合わせを示すMCS値を決定する。そして、基地局は、決定されたMCS値を、下りリンクデータ割り当て情報を含む制御チャネルを用いた上りチャネル送信情報に含めて、端末装置に送信する。端末装置は、基地局から受信した上りチャネル送信情報（MCS）に基づいて、基地局装置に送信する上りデータチャネルの送信形式を決定する。そして、端末装置は、基地局から下りデータチャネルを受信した場合に、当該下りデータチャネルを復号した結果に基づいて、基地局への応答内容（ACK/NACK/DTX）を決定する。その後、端末装置は、決定された送信形式を用いた上りデータチャネルで、決定された応答内容を基地局に送信する。【選択図】図１
2010283698.tif 000002
【特許請求の範囲】
【請求項１】
基地局装置から受信した上りチャネル送信情報に基づいて、基地局装置に送信する上りデータチャネルの送信形式を決定する形式決定手段と、
前記基地局装置から下りデータチャネルを受信した場合に、当該下りデータチャネルを復号した結果に基づいて、前記基地局装置への応答内容を決定する応答決定手段と、
前記形式決定手段により決定された送信形式を用いた上りデータチャネルで、前記応答決定手段により決定された応答内容を前記基地局に送信する応答送信手段と、
を有することを特徴とする端末装置。
【請求項２】
前記応答決定手段は、前記基地局装置から下りデータチャネルを受信した場合に、当該下りデータチャネルを復号した結果に基づいて、受信成功又は受信失敗を前記基地局装置への応答内容として決定し、前記基地局装置から下りデータチャネルを受信できなかった場合に、応答なしを前記基地局装置への応答内容として決定することを特徴とする請求項１に記載の端末装置。
【請求項３】
前記形式決定手段は、前記上りチャネル送信情報に含まれる変調方式及びチャネル符号化率の組み合わせを示すModulation  and  Coding  Scheme（MCS）の値が閾値未満の場合には、応答内容をデータに上書きする形式を用いると決定し、前記MCSの値が閾値以上の場合には、応答内容の領域が常に確保された形式を用いると決定することを特徴とする請求項１または２に記載の端末装置。
【請求項４】
前記形式決定手段は、当該端末装置から前記基地局装置への上りデータ送信に割り当てられた無線リソースが閾値以上の場合には、応答内容をデータに上書きする形式を用いると決定することを特徴とする請求項１または２に記載の端末装置。
【請求項５】
前記形式決定手段は、当該端末装置から前記基地局装置への上りデータ送信にＭＩＭＯ多重が適用される場合には、応答内容の領域が常に確保された形式を用いると決定することを特徴とする請求項１または２に記載の端末装置。
【請求項６】
端末装置から無線通信で受信した制御信号を用いて、信号対干渉電力比を測定する測定手段と、
前記測定手段によって測定された信号対干渉電力比に基づいて、変調方式及びチャネル符号化率の組み合わせを示すModulation  and  Coding  Scheme（MCS）値を決定する決定手段と、
前記決定手段により決定されたMCS値を、下りリンクデータ割り当て情報を含む制御チャネルを用いた上りチャネル送信情報に含めて、前記端末装置に送信するMCS送信手段と、
を有することを特徴とする基地局装置。
【請求項７】
下りデータチャネルを前記端末装置に送信し、当該下りデータチャネルの受信結果を示す応答内容が含まれる上りデータチャネルを受信する応答制御手段と、
前記決定手段により決定されたMCS値に応じた判定手法で、前記応答制御手段によって受信された上りデータチャネルから応答内容を特定する応答特定手段と、をさらに有することを特徴とする請求項６に記載の基地局装置。
【請求項８】
前記応答特定手段は、前記決定手段により決定されたMCS値が閾値未満の場合には、受信成功を示す応答信号又は受信失敗を示す応答信号それぞれのビットパターンを利用した判定手法で応答内容を特定し、前記応答信号を示す領域の受信電力を利用した判定手法で応答内容を特定することを特徴とする請求項７に記載の基地局装置。
【発明の詳細な説明】
【技術分野】
【０００１】
本発明は、無線通信を行う端末装置および基地局装置に関する。
【背景技術】
【０００２】
近年、384kbps〜2Mbps程度だった下り（基地局から端末へ）方向のパケット通信速度を最高で14.4Mbpsまで引き上げることができるHSDPA（High  Speed  Downlink  Packet  Access）などが携帯端末などの移動局の通信に用いられている。
【０００３】
HSDPAは、電波の状態に応じてより高速な変調方式や符号化方式を自動的に選択する。例えば、電波状態が悪い場合には、安定性は高いが低速なQPSK（Quadrature  Phase  Shift  Keying）を用い、電波状態が良い場合には、より高速な16QAM（16  Quadrature  Amplitude  Modulation）による変調を用いたりする。
【０００４】
また、HSDPAは、電波状態が悪い場合には、誤り訂正能力の大きい低速な符号化方式を用い、電波状態が良い場合には、誤り訂正能力の小さい高速な符号化方式を用いるように、誤り訂正の方式も変える。さらに、HSDPAは、再送制御方式として、HARQ（Hybrid  Automatic  Repeat  Request）方式を採用し、エラー検出時の再送回数を抑えている。
【０００５】
ここで、下りHARQの一般的な動作を次世代携帯電話方式LTE（Long  Term  Evolution）を例に説明する。まず、基地局は、下りリンクデータ割り当て情報（DL  Scheduling  Information）を含む制御チャネル（PDCCH）と下り送信データを含む下りデータチャネル（PDSCH）を送信する。
【０００６】
この時、端末では、割り当て情報に従って、下りリンクデータチャネルを受信し、CRCチェック結果を元に、上りリンクのチャネルを用いて伝送確認信号（応答）であるACK（受信成功）またはNACK（受信失敗）を基地局に通知する。基地局は、ACKを受信した場合にはHARQを停止し、NACKを受信した場合には再送（最初に送信したデータとは別のエラー訂正bitを送信）する。そして、端末は、最初の受信データと再送のエラー訂正bitとを合成することにより、エラー訂正能力を向上させることができ、エラーが無い場合には１回のデータ送信で、エラーが有る場合には少ないデータ再送回数でエラーを訂正することができる。そのため、端末は、平均的な通信速度を上げることができる。
【０００７】
ところが、端末は、PDCCHの受信を失敗した場合、PDSCHの送信を認識することが出来ず、PDSCHの受信処理を行うことができないため、ACK／NACKの送信を行なわない。つまり、基地局においては、端末からのACK／NACKを受信する際に、ACK／NACKの２値判定に加えて、端末が「DL  Scheduling  Information」を含むPDCCHの受信を失敗し、ACK／NACKを送信しない状態であるDTXも含めた３値判定を行う必要がある。
【０００８】
また、上りリンクのデータ通信においては、基地局が、PDCCHを用いて上りチャネル送信情報（UL  Grant）を端末に送信し、端末が、その情報に基づいて、上り送信データを含む上りデータチャネル（PUSCH）を基地局に送信する。ところが、端末は、ACK／NACK送信タイミングと上りデータチャネル（PUSCH）を送信するタイミングとが重なった場合、ACK／NACKとPUSCHとを同時に基地局に送信する必要がある。しかし、LTE上りリンクにおける上りデータ信号PUSCHは、低PAPR（Peak  to  Average  Power  Ratio：信号の平均電力とピーク電力との比）を実現するために、シングルキャリア送信となっている。したがって、周波数軸上でACK／NACKとPUSCHとを多重して同時送信することは、PAPRを増大させてしまう。このため、端末は、ACK／NACKと上りデータを、PUSCH内でデータ信号と時間的に多重して送信する必要がある。
【０００９】
以上のことから、例えば、LTEにおいては、PUSCHのデータ信号にACK／NACKを上書きして送信することが行われている。具体的には、図１２に示すように、端末は、上りチャネル送信情報（UL  Grant）に従って上りデータを作成し、送信すべきACK／NACK情報がある場合は、データの一部をACK／NACKシンボルで上書きして送信する。この時、ACK／NACK用のシンボル数を多くするほどACK／NACKビットの符号化率が小さくなり、受信特性が向上する。そのため、LTEにおいては、ACK／NACK送信に用いるシンボル数は、「UL  Grant」で指定されるMCS（Modulation  and  Coding  Scheme：変調方式及びチャネル符号化率の組み合わせ）によって変化させている。すなわち、ACK／NACKの受信品質を一定にするために、MCSが大きい場合は受信品質が良いのでACK／NACKのシンボル数を少なく、MCSが小さい場合は受信品質が悪いのでACK／NACKのシンボル数を多くする。
【００１０】
また、例えば、ACK／NACK送信用のシンボルを常に確保するという技術も用いられている。具体的には、図１３に示すように、ACK／NACKの送信有無に関わらず、常にデータを送信する時間領域が制限される。この場合も通常はMCSによってシンボル数を変える。
【先行技術文献】
【非特許文献】
【００１１】
【非特許文献１】「http://www.3gpp.org/ftp/Specs/html-info/36212.htm」、3GPP  TS36.212  V8.4.0  5.2.2章
【非特許文献２】「http://www.3gpp1.com/ftp/tsg_ran/WG1_RL1/TSGR1_50b/Docs/」、3GPP  R1-074331
【発明の概要】
【発明が解決しようとする課題】
【００１２】
しかしながら、従来の技術では、データの送信効率とACK／NACK判定精度のトレードオフが存在し、効率を落とさずに、高いACK／NACK判定精度を確保することができないという課題があった。
【００１３】
具体的には、図１２に示した従来技術の場合、送信側（例えば、端末）は、PDCCHの受信失敗によりACK／NACKを送信しない場合には、本来ACK／NACKが送信されるべきところにPUSCHのデータを入力して送信することとなる。そのため、受信側（例えば、基地局）では、通常のデータにおける各bitの値が符号化後のACK／NACKのビットに対して一般的にランダムに異なることから、このランダム性を利用してACK／NACK／DTXの３値判定を行うことが出来る。しかし、ACK／NACKが多重されるシンボル数が十分に多い場合は、３値判定の判定精度を十分にとることができる。一方、シンボル数が少ない場合は、SNR（Signal  to  Noise  Ratio、信号対雑音電力比）が大きくても判定精度が大幅に劣化するという問題がある。
【００１４】
また、図１３に示した従来技術の場合、送信側（例えば、端末）は、ACK／NACK送信用のシンボルを常に確保するため、シンボル数が少なくてもSNRが大きければ十分な判定精度を確保できる。一方、特にシンボル数が多い場合には、常にPUSCHのシンボル数が大幅に削減されるため上りリソースの利用効率が悪いという問題がある。
【００１５】
開示の技術は、上記に鑑みてなされたものであって、データ信号の送信効率を落とさずに、高いACK／NACK判定精度を確保することが可能である端末装置および基地局装置を提供することを目的とする。
【課題を解決するための手段】
【００１６】
本願の開示する端末装置は、基地局装置から受信した上りチャネル送信情報に基づいて、基地局装置に送信する上りデータチャネルの送信形式を決定する形式決定手段と、前記基地局装置から下りデータチャネルを受信した場合に、当該下りデータチャネルを復号した結果に基づいて、前記基地局装置への応答内容を決定する応答決定手段と、前記形式決定手段により決定された送信形式を用いた上りデータチャネルで、前記応答決定手段により決定された応答内容を前記基地局に送信する応答送信手段と、を有する。
【００１７】
また、本願の開示する基地局装置は、端末装置から無線通信で受信した制御信号を用いて、信号対干渉電力比を測定する測定手段と、前記測定手段によって測定された信号対干渉電力比に基づいて、変調方式及びチャネル符号化率の組み合わせを示すModulation  and  Coding  Scheme（MCS）値を決定する決定手段と、前記決定手段により決定されたMCS値を、下りリンクデータ割り当て情報を含む制御チャネルを用いた上りチャネル送信情報に含めて、前記端末装置に送信するMCS送信手段と、を有する。
【発明の効果】
【００１８】
本願の開示する端末装置および基地局装置の一つの態様によれば、効率を落とさずに、高いACK／NACK判定精度を確保することが可能であるという効果を奏する。
【図面の簡単な説明】
【００１９】
【図１】図１は、実施例１に係る通信システムの全体構成を説明するための図である。
【図２】図２は、移動局の構成を示すブロック図である。
【図３】図３は、上りデータチャネルのフォーマット例を示す図である。
【図４】図４は、変調方式ＤＢに記憶される情報の例を示す図である。
【図５】図５は、基地局の構成を示すブロック図である。
【図６】図６は、移動局における処理の流れを示すフローチャートである。
【図７】図７は、基地局における処理の流れを示すフローチャートである。
【図８】図８は、RB数を考慮したフォーマット選択例を示す図である。
【図９】図９は、MIMO適用有無を考慮したフォーマット選択例を示す図である。
【図１０】図１０は、A/N非送信時のMIMO多重化例を示す図である。
【図１１】図１１は、A/N送信時のMIMO多重化例を示す図である。
【図１２】図１２は、従来技術を説明するための図である。
【図１３】図１３は、従来技術を説明するための図である。
【発明を実施するための形態】
【００２０】
以下に、本願の開示する端末装置および基地局装置の実施例を図面に基づいて詳細に説明する。なお、この実施例によりこの発明が限定されるものではない。
【実施例１】
【００２１】
［通信システムの全体構成］
まず、図１を用いて、本願が開示する端末装置と基地局を含む通信システムの全体構成について説明する。図１は、実施例１に係る通信システムの全体構成を説明するための図である。
【００２２】
図１に示すように、この通信システムは、無線通信によって端末装置（移動局）と直接交信するサーバ装置である基地局と、基地局と無線通信で接続され、音声通信やデータ通信など様々な通信サービスを利用することができる端末装置である移動局とを有している。
【００２３】
なお、ここでは、基地局１台と移動局１台とを図示しているが、接続される台数はこれに限定されるものではない。また、ここでは、端末装置として移動局を用いた場合で説明するが、例えば、パーソナルコンピュータ、家庭用ゲーム機、インターネットＴＶ、ＰＤＡ、あるいは携帯電話やＰＨＳの如き移動体通信端末など様々な端末装置を用いることができる。
【００２４】
また、基地局と移動局とは、HSDPAをより高速化させたLTEを用いて通信が行われており、高速なデータ通信を可能としている。さらに、基地局と移動局との間で、正常な送受信に失敗したデータを破棄せず再送時に利用してエラー発生時のデータ再送を抑えるHARQを実施する。その結果、受信状態の悪いユーザ（移動局）のスループットを改善し、平均的な通信速度を上げている。
【００２５】
このように、実施例１に係る通信システムは、LTEを用いて通信が行われ、HARQを用いたデータ再送が実施されるとともに、効率を落とさずに、高いACK／NACK判定精度を確保することが可能である。
【００２６】
具体的には、実施例１に係る通信システムの移動局は、基地局から受信した上りチャネル送信情報に基づいて、基地局に送信する上りデータチャネルのフォーマットを決定する。そして、移動局は、基地局から下りデータチャネルを受信した場合に、当該下りデータチャネルを復号した結果に基づいて、基地局への応答内容を決定し、決定されたフォーマットを用いた上りデータチャネルで、決定された応答内容を基地局に送信する。
【００２７】
例えば、実施例１に係る通信システムの基地局は、上りリンクの信号対干渉電力比（SIR:Signal  to  Interference  power  Ratio）を測定するための上り信号を移動局から受信し、受信した信号から上りSIRを測定する。基地局は、測定した上りSIRに基づいてMCS（Modulation  and  Coding  Scheme：変調方式及びチャネル符号化率の組み合わせ）を決定する。そして、基地局は、決定したMCSを上りチャネル送信情報（UL  Grant）に含めて、制御チャネル（PDCCH）を用いて移動局に送信する。
【００２８】
移動局は、基地局から受信した上りチャネル送信情報（UL  Grant）に付加されるMCSが閾値未満の小さな値の場合には、所要SNRが小さいので、ACK／NACKのシンボル数を多くして、ACK／NACK判定精度を高くすることが望ましい。したがって、移動局は、MCSが小さい場合には、図１の（ａ）に示すように、ACK／NACK送信用シンボルをDataに上書きするフォーマット＃１を用いると決定する。一方、移動局は、基地局から受信した上りチャネル送信情報（UL  Grant）に含まれるMCSが閾値以上の大きな値の場合には、SNRが大きく、判定精度も高いことから、ACK／NACKのシンボル数が少なくてもよい。したがって、移動局は、MCSが大きい場合には、図１の（ｂ）に示すように、ACK／NACK送信用シンボルを常に確保するフォーマット＃２を用いると決定する。
【００２９】
その後、移動局は、下りリンクデータ割り当て情報（DL  Scheduling  Information）を含む制御チャネル（PDCCH）を基地局から受信し、この「DL  Scheduling  Information」に従って下りリンクデータチャネル（PDSCH）を受信する。移動局は、受信した下りリンクデータチャネル（PDSCH）を復号し、CRC（Cyclic  Redundancy  Check）チェックを行う。そして、移動局は、復号やCRCチェックによって、PDSCHを正常に受信できたと判定した場合には「ACK（受信成功）」、PDSCHを正常に受信できなかったと判定した場合には、「NACK（受信失敗）」と応答内容を決定する。なお、移動局は、「DL  Scheduling  Infomation」を受信できなかった場合には、応答内容として、ACK／NACKを送信しない状態であるDTXを応答すると決定する。
【００３０】
そして、移動局は、フォーマット＃１を用いると決定した場合には、データフォーマットのData部分の一部に、ACKまたはNACK（DTXの場合は送信対象データなし）を上書きし、上り送信データを含む上りデータチャネル（PUSCH）を基地局に送信する。また、移動局は、フォーマット＃２を用いると決定した場合には、予め確保されたデータフォーマットの所定領域に、ACKまたはNACK（DTXの場合は送信対象データなし）を書き込んで、上りデータチャネル（PUSCH）を基地局に送信する。
【００３１】
その後、基地局は、移動局から上りデータチャネル（PUSCH）を受信した場合、移動局に送信したMCSに基づいた手法で、ACK/NACK/DTXの３値判定を実施し、移動局からの送信結果を得ることができる。具体的には、基地局は、閾値未満のMCS値（MCSが小さい）を移動局に送信した場合、ACK/NACKのシンボル数が多いフォーマット＃１が用いられているので、ACK/NACKのシンボルパターンを利用した３値判定を行う。また、基地局は、閾値以上のMCS値（MCSが大きい）を移動局に送信した場合、ACK/NACKのシンボル数が少ないフォーマット＃２が用いられているので、ACK /NACK領域の受信電力を利用した３値判定を行う。なお、基地局は、３値判定の結果に応じて、HARQの停止や再送などの処理を行う。
【００３２】
このように、実施例１に係る通信システムは、上りチャネル送信情報（UL  Grant）で指定されるMCSに適したフォーマットでACK/NACK/DTX応答を移動局から基地局に送信することができる。その結果、データ信号の送信効率を落とさずに、高いACK／NACK判定精度を確保することが可能である。
【００３３】
［通信システムの構成］
次に、図２〜図５を用いて、図１に示した通信システムの構成について説明する。ここでは、まず、移動局の構成について説明した後に、基地局の構成について説明する。
【００３４】
（移動局の構成）
まず、図２を用いて、実施例１に係る通信システムの移動局の構成について説明する。図２は、移動局の構成を示すブロック図である。図２に示すように、この移動局１０は、受信機１１と、下りリンクデータ割り当て情報受信部１２と、PDSCH受信部１３と、上りチャネル送信情報受信部１４とを有する。また、移動局１０は、Ａ／Ｎ多重方式決定部１５と、変調方式ＤＢ１６と、PUSCH送信部１７と、PUCCH送信部１８と、選択部１９と、送信機２０とを有する。
【００３５】
受信機１１は、下りリンクデータ割り当て情報受信部１２と、PDSCH受信部１３と、上りチャネル送信情報受信部１４とのそれぞれと接続され、基地局から送信された各種情報やデータを受信し、他の移動局から送信された各種情報やデータを受信する。具体的には、受信機１１は、下りリンクデータ割り当て情報（DL  Scheduling  Info．）を含む制御チャネル（PDCCH）を基地局から受信し、下り送信データを含む下りデータチャネル（PDSCH）を基地局から受信する。また、受信機１１は、MCSが含まれる上りチャネル送信情報（UL  Grant）を基地局から受信する。
【００３６】
下りリンクデータ割り当て情報受信部１２は、受信機１１を介して、下りリンクデータ割り当て情報（DL  Scheduling  Info．）を含む制御チャネル（PDCCH）を基地局から受信する。そして、下りリンクデータ割り当て情報受信部１２は、割当て帯域幅（リソースブロック数（以下、RB数ともいう）、無線リソース）などの「DL  Scheduling  Info．」をPDSCH受信部１３に出力する。また、下りリンクデータ割り当て情報受信部１２は、制御チャネル（PDCCH）を基地局から受信できた場合には、下りデータチャネル（PDSCH）を受信するように、PDSCH受信部１３に指示する（ON通知）。また、下りリンクデータ割り当て情報受信部１２は、制御チャネル（PDCCH）を基地局から受信できない場合には、その旨をPDSCH受信部１３に指示する（OFF通知）。さらに、下りリンクデータ割り当て情報受信部１２は、受信したPDSCHから、現時点で使用されるMCSを取得してPDSCH受信部１３に出力する。
【００３７】
なお、下りリンクデータ割り当て情報受信部１２は、基地局によって決定されたMCSが含まれる上りチャネル送信情報（UL  Grant）を受信するための制御チャネル（PDCCH）を基地局から受信し、その結果を上りチャネル送信情報受信部１４に出力する。
【００３８】
PDSCH受信部１３は、基地局から下りデータチャネルを受信した場合に、当該下りデータチャネルを復号した結果に基づいて、前記基地局への応答内容を決定する。具体的には、PDSCH受信部１３は、受信機１１を介して、下りリンクデータ割り当て情報受信部１２により受信された下りリンクデータ割り当て情報（DL  Scheduling  Information）に従って、下りリンクデータチャネル（PDSCH）を基地局から受信する。また、PDSCH受信部１３は、下りリンクデータ割り当て情報受信部１２から「ON通知」を受信すると、「DL  Scheduling  Information」に含まれるRB数やMCSを用いて、基地局からPDSCHを受信する。
【００３９】
そして、PDSCH受信部１３は、受信したPDSCHを復号し、CRCチェックなどを行う。PDSCH受信部１３は、復号やCRCチェックによって、PDSCHを正常に受信できたと判定した場合には「ACK（受信成功）」、PDSCHを正常に受信できなかったと判定した場合には、「NACK（受信失敗）」と応答内容を決定する。また、PDSCH受信部１３は、「DL  Scheduling  Info.」を受信できなかった場合には、すなわち、下りリンクデータ割り当て情報受信部１２から「OFFN通知」を受信した場合、DTXを応答すると決定する。
【００４０】
上りチャネル送信情報受信部１４は、受信機１１を介して、基地局によって決定されたMCSが含まれる上りチャネル送信情報（UL  Grant）を基地局から受信する。上りチャネル送信情報受信部１４は、「UL  Grant」が含まれるPDCCHを受信した場合、「UL  Grant」からMCSを取得してＡ／Ｎ多重方式決定部１５に出力する。また、上りチャネル送信情報受信部１４は、PUSCHの送信があるのかないのか（ON又はOFF）を選択部１９に出力する。
【００４１】
Ａ／Ｎ多重方式決定部１５は、基地局から受信した上りチャネル送信情報に基づいて、基地局に送信する上りデータチャネルのフォーマットを決定する。具体的には、Ａ／Ｎ多重方式決定部１５は、上りチャネル送信情報受信部１４により取得されたMCSが閾値未満の小さな値の場合には、所要SNRが小さいので、ACK／NACKのシンボル数を多くして、ACK／NACK判定精度を高くすることが望ましい。したがって、Ａ／Ｎ多重方式決定部１５は、MCSが小さい場合には、図３の（ａ）に示すように、ACK／NACK送信用シンボルをDataに上書きするフォーマット＃１を用いると決定する。一方、Ａ／Ｎ多重方式決定部１５は、基地局から受信した上りチャネル送信情報（UL  Grant）に含まれるMCSが閾値以上の大きな値の場合には、SNRが大きく、判定精度も高いことから、ACK／NACKのシンボル数が少なくてもよい。したがって、Ａ／Ｎ多重方式決定部１５は、MCSが大きい場合には、図３の（ｂ）に示すように、ACK／NACK送信用シンボルを常に確保するフォーマット＃２を用いると決定する。
【００４２】
そして、Ａ／Ｎ多重方式決定部１５は、決定したフォーマットをPUSCH送信部１７に出力する。なお、MCSの閾値としては、例えば、目標の誤り率に応じて設定したり、実験データなどから任意に設定したりすることができる。図３は、上りデータチャネルのフォーマット例を示す図である。
【００４３】
また、Ａ／Ｎ多重方式決定部１５は、上りチャネル送信情報受信部１４により取得されたMCSに対応する変調方式などを変調方式ＤＢ１６から特定し、特定した変調方式を用いてデータ通信を行う。例えば、Ａ／Ｎ多重方式決定部１５は、上りチャネル送信情報受信部１４により取得されたMCSが「15」であった場合には、「Modulation＝16QAM、TBS＝552、Coderate＝0.479」と決定する。
【００４４】
なお、上記した変調方式ＤＢ１６は、図４に示すように、「MCS、Modulation、TBS、Coderate」を対応付けて記憶するデータベースである。ここで記憶される「MCS」は、基地局によって決定され、移動局１０の上りチャネル送信情報受信部１４により取得されるMCSの値を示している。また、「Modulation」は、搬送波に不連続な変化を与えることで変調させるデジタル変調方式を示しており、例えば、QPSK（Quadrature  Phase  Shift  Keying）、16QAM（16  Quadrature  Amplitude  Modulation）、64QAM（64  Quadrature  Amplitude  Modulation）などである。また、「TBS」は、基地局と移動局との間の搬送ブロック数（情報ビット数）を示す値であり、「Coderate」は、「情報ビット数＝TBS」に対する「誤り訂正符号化後のビット数」の比である符号化率を示している。図４は、変調方式ＤＢに記憶される情報の例を示す図である。
【００４５】
PUSCH送信部１７は、Ａ／Ｎ多重方式決定部１５により決定されたフォーマットを用いた上りデータチャネルで、PDSCH受信部１３により決定された応答内容を基地局に送信する。具体的には、PUSCH送信部１７は、フォーマット＃１を用いてACK/NACKを応答する場合、図３の（１）−（ｂ）に示すように、データフォーマットのData部分の一部に、ACKまたはNACKを上書きする。そして、PUSCH送信部１７は、上りチャネル送信情報（UL  Grant）に基づいて、作成した上り送信データを含む上りデータチャネル（PUSCH）を基地局に送信する。また、PUSCH送信部１７は、フォーマット＃１を用いてDTXを応答する場合、送信対象となるデータが存在しない。したがって、PUSCH送信部１７は、図３の（１）−（ａ）に示すように、データフォーマットのDataには何も上書きされていない上り送信データを含む上りデータチャネル（PUSCH）を「UL  Grant」に基づいて基地局に送信する。
【００４６】
一方、PUSCH送信部１７は、フォーマット＃２を用いてACK/NACKを応答する場合、図３の（２）−（ｂ）に示すように、予め確保されたデータフォーマットの所定領域に、ACKまたはNACKを書き込む。そして、PUSCH送信部１７は、上りチャネル送信情報（UL  Grant）に基づいて、作成した上り送信データを含む上りデータチャネル（PUSCH）を基地局に送信する。また、PUSCH送信部１７は、フォーマット＃２を用いてDTXを応答する場合、DTXの場合に送信対象となるデータが存在しない。このため、PUSCH送信部１７は、図３の（２）−（ａ）に示すように、予め確保されたデータフォーマットの所定領域には何も書き込まれていない上り送信データを含む上りデータチャネル（PUSCH）を「UL  Grant」に基づいて基地局に送信する。
【００４７】
PUCCH送信部１８は、上りデータチャネル（PUSCH）の送信がない場合には、PUCCHを用いて、PDSCH受信部１３により決定された応答内容を基地局に送信する。選択部１９は、上りチャネル送信情報受信部１４により「ON」が通知された場合には、PUSCH送信部１７から入力されたデータを選択して送信機２０に出力する。また、選択部１９は、上りチャネル送信情報受信部１４により「OFF」が通知された場合には、PUCCH送信部１８から入力されたデータを選択して送信機２０に出力する。送信機２０は、選択部１９により選択されたPUSCH又はPUCCHを基地局に送信したり、他のデータを基地局や他の移動局に送信したりする。
【００４８】
（基地局の構成）
次に、図５を用いて、実施例１に係る通信システムの基地局の構成について説明する。図５は、基地局の構成を示すブロック図である。図５に示すように、この基地局５０は、受信機５１と、上りSIR測定部５２と、Ａ／Ｎ多重方式決定部５３と、変調方式ＤＢ５４と、PUSCH受信およびＡ／Ｎ判定部５５と、スケジューラ５６と、PDCCH送信部５７と、PDSCH送信部５８と、送信機５９とを有する。
【００４９】
受信機５１は、上りSIR測定部５２やPUSCH受信およびＡ／Ｎ判定部５５などと接続され、他の基地局から送信された各種情報やデータを受信し、移動局から送信された各種情報やデータを受信する。具体的には、受信機５１は、上りデータチャネル（PUSCH）を移動局１０から受信し、上りSIRを測定するための上り信号を移動局１０から受信する。
【００５０】
上りSIR測定部５２は、受信機５１により受信された信号などからSIRを測定する。具体的には、上りSIR測定部５２は、移動局１０から受信された信号電力と、他の基地局と通信している移動局から受信された干渉電力とに基づいて、信号対干渉電力比（SIR）を測定する。そして、上りSIR測定部５２は、測定結果（SIR値）をＡ／Ｎ多重方式決定部５３に出力する。
【００５１】
Ａ／Ｎ多重方式決定部５３は、上りSIR測定部５２により測定されたSIRに基づいて、上りデータチャネル（PUSCH）に用いるMCSを決定する。具体的には、Ａ／Ｎ多重方式決定部５３は、上りSIR測定部５２により測定されたSIRに対応するMCSを変調方式ＤＢ５４から特定してスケジューラ５６に出力する。なお、変調方式ＤＢ５４は、図４に示した「MCS、Modulation、TBS、Coderate」に対して、「SIR」をさらに対応付けたデータベースである。
【００５２】
PUSCH受信およびＡ／Ｎ判定部５５は、受信機５１を介して、移動局１０から上りデータチャネル（PUSCH）を受信し、移動局に送信したMCSに基づいた手法で、ACK/NACK/DTXの３値判定を実施する。具体的には、PUSCH受信およびＡ／Ｎ判定部５５は、閾値未満のMCS値（MCSが小さい）を移動局に送信した場合、ACK/NACKのシンボル数が多いフォーマット＃１が用いられている。そのため、PUSCH受信およびＡ／Ｎ判定部５５は、ACK/NACKのシンボルパターンを利用した３値判定を行い、その結果をスケジューラ５６に出力する。
【００５３】
例えば、PUSCH受信およびＡ／Ｎ判定部５５は、Ack/Nackのチャネル符号化方法が繰り返し符号化であった場合について説明する。この場合、PUSCH受信およびＡ／Ｎ判定部５５は、デマッピング後のACK/NACK系列を「ｒｉ」（ただし、Ｑ´は、ACK又はNACKのビット数（シンボル数）を表す）とした場合、３値判定に用いる「S」を式（１）で算出することができる。ここで、受信したPUSCHがACKの場合には、「−１」が加算され、NACKの場合には、「＋１」が加算されるとする。その後、PUSCH受信およびＡ／Ｎ判定部５５は、式（１）で算出した「S」を式（２）に示した判定式で判定することで、受信したPUSCHがACK/NACK/DTXのいずれの応答かを判定することができる。
【００５４】
【数１】
2010283698.tif 000003
【数２】
2010283698.tif 000004
【００５５】
また、PUSCH受信およびＡ／Ｎ判定部５５は、閾値以上のMCS値（MCSが大きい）を移動局に送信した場合、ACK/NACKのシンボル数が少ないフォーマット＃２が用いられているので、ACK/NACK領域の受信電力を利用した３値判定を行い、スケジューラ５６に出力する。
【００５６】
例えば、PUSCH受信およびＡ／Ｎ判定部５５は、PUSCHのACK/NACKのシンボル部分をデマッピングした後のACK/NACK系列を「ｒｉ」（ただし、i=0、1、…、Q-1、Ｑ：ACK又はNACKのビット数を表す）。また、Ｑ´は符号化後のビット数で、ACK又はNACKのシンボル数Ｑｍを変調次元数とすると、Ｑ＝Ｑ´×Ｑｍとなる。なお、LTE標準化においては、符号化前のACK/NACKのビット数が1の場合は、シンボル毎の符号化後ビット列の符号は理想的には表（１）のようになっている。
【００５７】
【表１】
2010283698.tif 000005
【００５８】
このような状態において、PUSCH受信およびＡ／Ｎ判定部５５は、受信したPUSCHの前半の２bitを用いて２値判定を行うための値を式（３）で算出する。このとき、例えば、Ｑｍは、QPSKでは２、16QAMでは４、64QAMでは６となる。なお、式（３）の右辺は、１ビット目＋２ビット目である。
【００５９】
【数３】
2010283698.tif 000006
【００６０】
また、16QAMと64QAMについては、残りのビットを用いて式（４）から３値判定を行うための値を算出する。簡単に説明すると、式（３）で算出した値（ρA）に所定の定数（α）を乗算したものから、式（３）で用いた２ビット以外の３ビット目以降の値を用いて算出した値を減算することによって算出（ρB）することができる。ただし、NACKやACK時の条件は、式（５）のようになっている。また、QPSKの場合は、ρB＝αρAとなる。
【００６１】
【数４】
2010283698.tif 000007
【数５】
2010283698.tif 000008
【００６２】
さらに、PUSCH受信およびＡ／Ｎ判定部５５は、式（６）を用いてρABSを算出し、このρABSと式３で算出したρA又は式（４）で算出したρBを、式（７）の判定式に代入することで、受信したPUSCHがACK/NACK/DTXのいずれの応答かを判定することができる。
【００６３】
【数６】
2010283698.tif 000009
【数７】
2010283698.tif 000010
【００６４】
スケジューラ５６は、制御チャネル（PDCCH）や下りデータチャネル（PDSCH）やMCSを送信し、HARQに関する各種処理を実行する。具体的には、スケジューラ５６は、Ａ／Ｎ多重方式決定部５３により決定されたMCSを含むPDCCHやPDSCHを移動局１０に送信する。また、スケジューラ５６は、PUSCH受信およびＡ／Ｎ判定部５５の判定結果がACKの場合には、HARQを停止し、判定結果がNACKやDTXの場合には、再送を行う。
【００６５】
PDCCH送信部５７は、スケジューラ５６に指示操作に従って、割り当て帯域幅など下りリンクデータ割り当て情報（DL  Scheduling  Information）を含む制御チャネル（PDCCH）を移動局５０に送信する。PDSCH送信部５８は、スケジューラ５６に指示操作に従い、制御チャネル（PDCCH）を用いて上りデータチャネル送信情報（UL  Grant）を基地局に送信し、下り送信データを含む下りデータチャネル（PDSCH）を移動局に送信する。
【００６６】
［処理の流れ］
次に、図６と図７とを用いて、実施例１に係る通信処理の流れを説明する。図６は、移動局における処理の流れを示すフローチャートであり、図７は、基地局における処理の流れを示すフローチャートである。
【００６７】
（移動局における処理の流れ）
図６に示すように、移動局１０は、PDCCH（UL  Grant）を基地局５０から受信すると（ステップＳ１０１肯定）、PDCCH（DL  Scheduling  Information）を基地局５０から受信したか否かを判定する（ステップＳ１０２）。
【００６８】
そして、移動局１０は、PDCCH（DL  Scheduling  Information）を基地局５０から受信した場合（ステップＳ１０２肯定）、受信したPDCCH（DL  Scheduling  Information）からPDSCH情報を取得する（ステップＳ１０３）。そして、移動局１０は、取得したPDSCH情報に従って、PDSCHを受信する（ステップＳ１０４）。このとき、移動局１０は、受信したPDSCHに対して復号やCRCチェックを行い、ACK/NACKの作成を行う。
【００６９】
続いて、移動局１０は、ステップＳ１０１で受信したPDCCH（UL  Grant）に従って、基地局５０から受信した上りチャネル送信情報に含まれるMCSに基づいて、PUSCHを送信するフォーマットを決定する（ステップＳ１０５）。そして、移動局１０は、ステップＳ１０５で決定したフォーマットを用いて、ACK/NACK応答を含むPUSCHを基地局５０に送信する（ステップＳ１０６）。
【００７０】
一方、ステップＳ１０１において、移動局１０は、PDCCH（UL  Grant）を基地局５０から受信しない場合は（ステップＳ１０１否定）、PDCCH（DL  Scheduling  Information）を基地局５０から受信したか否かを判定する（ステップＳ１０７）。
【００７１】
そして、移動局１０は、PDCCH（DL  Scheduling  Information）を基地局５０から受信した場合（ステップＳ１０７肯定）、ACK/NACK応答を含むPUCCHを基地局５０に送信する（ステップＳ１０８）。また、移動局１０は、PDCCH（DL  Scheduling  Information）を基地局５０から受信しなかった場合（ステップＳ１０７否定）、処理を終了する。
【００７２】
ステップＳ１０２に戻り、移動局１０は、PDCCH（DL  Scheduling  Information）を基地局５０から受信しなかった場合（ステップＳ１０２否定）、PUSCHを送信するフォーマットを決定する（ステップＳ１０９）。この際、移動局１０は、ステップＳ１０１で受信したPDCCH（UL  Grant）に従って、基地局５０から受信した上りチャネル送信情報に含まれるMCSに基づいて、フォーマットを決定する。
【００７３】
そして、移動局１０は、ステップＳ１０９で決定したフォーマットを用いて、ACK/NACK応答を含むPUSCHを基地局５０に送信する（ステップＳ１１０）。
【００７４】
（基地局における処理の流れ）
図７に示すように、基地局５０は、移動局１０との通信からSIRを測定し（ステップＳ２０１肯定）、測定結果に基づいてMCSやＡ／Ｎ多重化方式（３値判定方式）を決定する（ステップＳ２０２）。
【００７５】
そして、基地局５０は、「DL  Scheduling  Information」を含む制御チャネル（PDCCH）を移動局１０に送信し、このPDCCHを用いて、下り送信データを含む下りデータチャネル（PDSCH）などを移動局１０に送信する（ステップＳ２０３）。なお、基地局５０は、上記したPDCCHとは別のPDCCHを用いて、上りデータチャネル送信情報（UL  Grant）を移動局１０に送信する。
【００７６】
その後、基地局５０は、移動局１０からPUSCHを受信すると（ステップＳ２０４肯定）、ステップＳ２０２で決定したＡ／Ｎ多重化方式（３値判定方式）を用いて、受信したPUSCHのACK/NACKシンボルに対して３値判定を行う（ステップＳ２０５）。
【００７７】
そして、基地局５０は、受信したPUSCHにACK応答が含まれると判定した場合には（ステップＳ２０６肯定）、HARQを停止する（ステップＳ２０７）。そして、基地局５０は、受信したPUSCHにACK応答が含まれていない判定した場合（ステップＳ２０６否定）、NACKが含まれているか否かを判定する（ステップＳ２０８）。
【００７８】
基地局５０は、NACKが含まれている場合（ステップＳ２０８肯定）、PDSCHの自動再送を実行する（ステップＳ２０９）。また、基地局５０は、受信したPDSCHがDTX応答であると判定した場合には（ステップＳ２０８否定）、PDCCHの再送を実行する（ステップＳ２１０）。
【００７９】
なお、NACKとDTXの場合の処理について説明した処理は一例であり、例えば、NACKの場合もDTXの場合も、ステップＳ２０９を実行するようにしてもよい。
【００８０】
［実施例１による効果］
このように、実施例１によれば、上りチャネル送信情報（UL  Grant）で指定されるMCSに適したフォーマットでACK/NACK/DTX応答を移動局から基地局に送信することができる。その結果、シンボル数が少なくても判定精度の劣化を防止することができ、また、PUSCHのビット数の大幅な削減を行わなくてもよいので、上りリソースの利用効率も向上する。したがって、データ信号の送信効率を落とさずに、高いACK／NACK判定精度を確保することが可能である。
【実施例２】
【００８１】
ところで、実施例１では、MCSに基づいてPDSCHのフォーマットを決定する例について説明したが、LTEでは、割り当て帯域幅（RB数）が可変となるため、RB数も考慮してフォーマットを決定することもできる。
【００８２】
具体的には、RB数が閾値（Ｎ）以上の場合には、ACK/NACKのシンボル数をＫ以上に設定し、ACK/NACKをPUASCHの一部に上書きするフォーマット＃１を用いる。また、RB数が閾値（Ｎ）未満の場合には、MCSによってフォーマットを切替える。なお、Ｋは、ACK/NACK/DTXの３値判定が可能なシンボル数として決定し、Ｎは、Ｋのオーバヘッドを小さいと見なせるRB数として決定する。
【００８３】
例えば、図８に示すように、RB数が「１〜１０」かつMCSが「０〜１０」の場合には、ACK/NACKをPUASCHの一部に上書きするフォーマット＃１を用いる。また、RB数が「１〜１０」かつMCSが「１１〜２８」の場合には、ACK／NACK送信用シンボルを常に確保するフォーマット＃２を用いる。また、RB数が「１１以上」の場合には、MCSに関わらず、ACK/NACKをPUASCHの一部に上書きするフォーマット＃１を用いる。なお、図８は、RB数を考慮したフォーマット選択例を示す図である。
【００８４】
このようにすることで、RB数を考慮したフォーマット選択が可能となり、可変であるRB数にどうような値が用いられても、データ信号の送信効率を落とさずに、高いACK／NACK判定精度を確保することが可能である。
【実施例３】
【００８５】
ところで、実施例２では、割り当て帯域幅（RB数）も考慮してフォーマットを決定する例について説明したが、さらに、MIMO（Multiple  Input  Multiple  Output）通信の適用有無に応じてフォーマットを決定することもできる。
【００８６】
具体的には、MIMO適用時には、ACK／NACK送信用シンボルを常に確保するフォーマット＃２を用い、MIMO非適用時には、実施例１と同様、MCSによってフォーマットを切替える。すなわち、MIMO適用時は、所要SNRが大きいため、ACK/NACK応答にはMIMOを適用しない。また、MIMO適用有無は、基地局５０のスケジューラ５６で決定し、「UL  Grant」で移動局１０に通知する。
【００８７】
例えば、図９に示すように、MIMOが適用されている場合には、RB数やMCSに関係なく、ACK／NACK送信用シンボルを常に確保するフォーマット＃２を用いる。一方で、図９に示すように、『MIMOが非適用、かつ、RB数が「１〜１０」、かつ、MCSが「０〜１０」』の場合には、ACK/NACKをPUASCHの一部に上書きするフォーマット＃１を用いる。『MIMOが非適用、かつ、RB数が「１〜１０」、かつ、MCSが「１１〜２８」』の場合には、ACK／NACK送信用シンボルを常に確保するフォーマット＃２を用いる。また、『MIMOが非適用、かつ、RB数が「１１以上」の場合には、MCSに関係なく、ACK/NACKをPUASCHの一部に上書きするフォーマット＃１を用いる。
【００８８】
また、移動局１０は、ACK/NACK非送信時（例えば、DTX応答時）にMIMOを適用して多重化送信する場合には、図１０に示すように、MIMO多重１及びMIMO多重２に何も書き込まないデータで基地局５０に送信する。また、移動局１０は、ACK/NACK送信時（例えば、ACK又はNACK応答時）にMIMOを適用して多重化送信する場合には、図１１に示すように、MIMO多重１にACK/NACK応答を書き込み、MIMO多重２には何も書き込まないデータで基地局５０に送信する。
【００８９】
なお、MIMOとは、複数のアンテナを組み合わせてデータ送受信の帯域を広げる無線通信技術であり、例えば、複数のアンテナで同時に異なるデータを送信し、受信時に合成する。図１０や図１１に示したMIMO多重１やMIMO多重２は、同じ周波数帯域に異なるデータを多重化して送信する場合のフォーマットを図示したものであり、MIMO多重１とMIMO多重２とは異なるデータが含まれている。図９は、MIMO適用有無を考慮したフォーマット選択例を示す図であり、図１０は、A/N非送信時のMIMO多重化例を示す図であり、図１１は、A/N送信時のMIMO多重化例を示す図である。
【００９０】
このように、実施例３によれば、MIMO適用を考慮したフォーマット選択が可能となり、複数のアンテナを組み合わせてデータ送受信の帯域を広げた場合であっても、効率を落とさずに、高いACK／NACK判定精度を確保することが可能である。
【実施例４】
【００９１】
さて、これまで本発明の実施例について説明したが、本発明は上述した実施例以外にも、種々の異なる形態にて実施されてよいものである。
【００９２】
（１）変調方式
例えば、実施例１〜３では、変調方式として、QPSK、16QAM、64QAMなどを例示したが、これに限定されるものではなく、OFDM（Orthogonal  Frequency-Division  Multiplexing）など無線通信に利用されるデジタル変調方式であれば、どのような方式も採用することができる。
【００９３】
（２）システム構成等
上記文書中や図面中で示した処理手順、制御手順、具体的名称、各種のデータやパラメータを含む情報（例えば、図４など）については、特記する場合を除いて任意に変更することができる。
【００９４】
以上の各実施例を含む実施形態に関し、さらに以下の付記を開示する。
【００９５】
（付記１）基地局装置から受信した上りチャネル送信情報に基づいて、基地局装置に送信する上りデータチャネルの送信形式を決定する形式決定手段と、
前記基地局装置から下りデータチャネルを受信した場合に、当該下りデータチャネルを復号した結果に基づいて、前記基地局装置への応答内容を決定する応答決定手段と、
前記形式決定手段により決定された送信形式を用いた上りデータチャネルで、前記応答決定手段により決定された応答内容を前記基地局に送信する応答送信手段と、
を有することを特徴とする端末装置。
【００９６】
（付記２）前記応答決定手段は、前記基地局装置から下りデータチャネルを受信した場合に、当該下りデータチャネルを復号した結果に基づいて、受信成功又は受信失敗を前記基地局装置への応答内容として決定し、前記基地局装置から下りデータチャネルを受信できなかった場合に、応答なしを前記基地局装置への応答内容として決定することを特徴とする付記１に記載の端末装置。
【００９７】
（付記３）前記形式決定手段は、前記上りチャネル送信情報に含まれる変調方式及びチャネル符号化率の組み合わせを示すModulation  and  Coding  Scheme（MCS）の値が閾値未満の場合には、応答内容をデータに上書きする形式を用いると決定し、前記MCSの値が閾値以上の場合には、応答内容の領域が常に確保された形式を用いると決定することを特徴とする付記１または２に記載の端末装置。
【００９８】
（付記４）前記形式決定手段は、当該端末装置から前記基地局装置への上りデータ送信に割り当てられた無線リソースが閾値以上の場合には、応答内容をデータに上書きする形式を用いると決定することを特徴とする付記１または２に記載の端末装置。
【００９９】
（付記５）前記形式決定手段は、当該端末装置から前記基地局装置への上りデータ送信にＭＩＭＯ多重が適用される場合には、応答内容の領域が常に確保された形式を用いると決定することを特徴とする付記１または２に記載の端末装置。
【０１００】
（付記６）基地局装置から受信した上りチャネル送信情報に基づいて、前記基地局装置に送信する上りデータチャネルの送信形式を決定する形式決定ステップと、
前記基地局装置から下りデータチャネルを受信した場合に、当該下りデータチャネルを復号した結果に基づいて、前記基地局装置への応答内容を決定する応答決定ステップと、
前記形式決定ステップにより決定された送信形式を用いた上りデータチャネルで、前記応答決定ステップにより決定された応答内容を前記基地局装置に送信する応答送信ステップと、
を含んだことを特徴とする端末制御方法。
【０１０１】
（付記７）端末装置から無線通信で受信した制御信号を用いて、信号対干渉電力比を測定する測定手段と、
前記測定手段によって測定された信号対干渉電力比に基づいて、変調方式及びチャネル符号化率の組み合わせを示すModulation  and  Coding  Scheme（MCS）値を決定する決定手段と、
前記決定手段により決定されたMCS値を、下りリンクデータ割り当て情報を含む制御チャネルを用いた上りチャネル送信情報に含めて、前記端末装置に送信するMCS送信手段と、
を有することを特徴とする基地局装置。
【０１０２】
（付記８）下りデータチャネルを前記端末装置に送信し、当該下りデータチャネルの受信結果を示す応答内容が含まれる上りデータチャネルを受信する応答制御手段と、
前記決定手段により決定されたMCS値に応じた判定手法で、前記応答制御手段によって受信された上りデータチャネルから応答内容を特定する応答特定手段と、をさらに有することを特徴とする付記７に記載の基地局装置。
【０１０３】
（付記９）前記応答特定手段は、前記決定手段により決定されたMCS値が閾値未満の場合には、受信成功を示す応答信号又は受信失敗を示す応答信号それぞれのビットパターンを利用した判定手法で応答内容を特定し、前記応答信号を示す領域の受信電力を利用した判定手法で応答内容を特定することを特徴とする付記８に記載の基地局装置。
【０１０４】
（付記１０）端末装置から無線通信で受信した制御信号を用いて、信号対干渉電力比を測定する測定ステップと、
前記測定ステップによって測定された信号対干渉電力比に基づいて、変調方式及びチャネル符号化率の組み合わせを示すModulation  and  Coding  Scheme(MCS)値を決定する決定ステップと、
前記決定ステップにより決定されたMCS値を、下りリンクデータ割り当て情報を含む制御チャネルを用いた上りチャネル送信情報に含めて、前記端末装置に送信するMCS送信ステップと、
を含んだことを特徴とする基地局装置制御方法。
【符号の説明】
【０１０５】
１０  移動局
１１  受信機
１２  下りリンクデータ割り当て情報受信部
１３  PDSCH受信部
１４  上りチャネル送信情報受信部
１５  Ａ／Ｎ多重方式決定部
１６  変調方式ＤＢ
１７  PUSCH送信部
１８  PUCCH送信部
１９  選択部
２０  送信機
５０  基地局
５１  受信機
５２  上りSIR測定部
５３  Ａ／Ｎ多重方式決定部
５４  変調方式ＤＢ
５５  PUSCHおよびＡ／Ｎ判定部
５６  スケジューラ
５７  PDCCH送信部
５８  PDSCH送信部
５９  送信機
【図１】
2010283698.tif 000011
【図２】
2010283698.tif 000012
【図３】
2010283698.tif 000013
【図４】
2010283698.tif 000014
【図５】
2010283698.tif 000015
【図６】
2010283698.tif 000016
【図７】
2010283698.tif 000017
【図８】
2010283698.tif 000018
【図９】
2010283698.tif 000019
【図１０】
2010283698.tif 000020
【図１１】
2010283698.tif 000021
【図１２】
2010283698.tif 000022
【図１３】
2010283698.tif 000023